(57)【要約】【課題】外観を損ねることなく、他の構成部品との干渉を少なくして電気部品への配線を容易にする。【解決手段】貫通穴１ｂは、パネル面５より後方の演奏操作時に視認されない部分において、鍵１の上面１ｃから裏面１ｄを貫通して設けられ、束線固定部１２は、後部上部１ｃａに固定される。束線９は、その一端部９ａが、鍵１の垂下部１ａの上部１ａａに接着固定した発光ユニット２０のコネクタ２５に接続され、他端部９ｂが鍵１の後方に設けた電子回路基板１５上のコネクタ１４に接続される。束線９は、コネクタ２５から鍵１の下方を通って貫通穴１ｂを貫通し、鍵１の上方に導出され、途中で束線固定部１２により固定されてコネクタ１４に導かれることで、発光ユニット２０と電子回路基板１５とが電気的に接続状態にされる。【選択図】　　図１
2004094160.tif 000002
【特許請求の範囲】
【請求項１】
鍵体と、
前記鍵体の内部に配設された電気部品と、
前記電気部品の配線用の束線とを有し、
前記鍵体の上部における演奏時に外観となって視認されない部分に貫通穴が設けられると共に、前記束線が前記鍵体の内部から前記貫通穴を貫通して前記鍵体の外部に引き出されていることを特徴とする鍵構造体。
【請求項２】
前記鍵体の上部における演奏時に外観となって視認されない部分であって前記鍵体の鍵支点部の近傍に、前記束線を固定するための束線固定部が設けられたことを特徴とする請求項１記載の鍵構造体。
【請求項３】
前記鍵体の外部において前記束線に接続される基板を取り付けるための基板取付部が、前記鍵体の鍵支点部の近傍に設けられたことを特徴とする請求項１または２記載の鍵構造体。
【発明の詳細な説明】
【０００１】
【発明の属する技術の分野】
本発明は、電子部品を搭載した電子鍵盤装置に設けられる鍵構造体に関する。
【０００２】
【従来の技術】
従来、電子鍵盤装置では、鍵の他、各種構成部品が設けられ、例えば、電気部品は、下記特許文献１、２、３に示す装置のように、鍵の下方においてフレームに配設固定されるものが多い。一方、演奏ガイド用の発光ユニットやプリタッチセンサ等のような電気部品は、鍵内（例えば鍵の先端部下部）に設けられる場合もある。このような鍵内に配設される電気部品を基板へ接続するための束線は、鍵を鍵盤装置に取り付ける前は、鍵から下方に無造作に延出した状態となることが多い。
【０００３】
【特許文献１】
実公昭３８−７０３９号公報
【特許文献２】
特公昭６２−２６０３９号公報
【特許文献３】
特開昭８−９５５６０号公報
【０００４】
【発明が解決しようとする課題】
しかしながら、鍵盤装置においては、鍵の下方は、押鍵後の復帰用バネ、ハンマ等、基本構成部品で埋め尽くされているのが通常であるため、空きスペースが少なく、電気部品の配線を行いつつ鍵を取り付ける際、束線をうまく回して配線するのが困難であるという問題があった。
【０００５】
また、鍵の鍵盤装置への取り付けや鍵の交換作業の際、延出した束線が煩わしいため鍵を扱いにくく、作業がしづらいという問題があった。
【０００６】
本発明は上記従来技術の問題を解決するためになされたものであり、その目的は、外観を損ねることなく、他の構成部品との干渉を少なくして電気部品への配線を容易にすることができる鍵構造体を提供することにある。
【０００７】
【課題を解決するための手段】
上記目的を達成するために本発明の請求項１の鍵構造体は、鍵体と、前記鍵体の内部に配設された電気部品と、前記電気部品の配線用の束線とを有し、前記鍵体の上部における演奏時に外観となって視認されない部分に貫通穴が設けられると共に、前記束線が前記鍵体の内部から前記貫通穴を貫通して前記鍵体の外部に引き出されていることを特徴とする。
【０００８】
この構成によれば、束線が鍵体の下方に垂れ下がっている場合に比し、鍵体の下方等の構成部品と干渉しにくい。よって、外観を損ねることなく、他の構成部品との干渉を少なくして電気部品への配線を容易にすることができる。
【０００９】
【発明の実施の形態】
以下、本発明の実施の形態を図面を参照して説明する。
【００１０】
（第１の実施の形態）
図１は、本発明の第１の実施の形態に係る鍵構造体を備えた鍵盤装置の断面図である。本装置は、シャーシ４に、押鍵操作される鍵１（同図では白鍵を例示）、押鍵動作に適当な慣性を与えるためのハンマ２等が支持されて構成される。同図では、ハンマ２は側面図で示されている。なお、以降、鍵１の自由端部側を「前方」と称する。
【００１１】
鍵１は、その後端部において、鍵回動軸Ｐ１を中心として上下方向に回動自在にされている。ハンマ２は、各鍵１に対応して設けられ、ハンマ回動軸Ｐ２を中心として上下方向に回動自在に支持されている。シャーシ４には各ハンマ２に対応してスイッチ基板８が取り付けられ、スイッチ基板８上にはスイッチ部３が設けられている。鍵１はハンマ２を駆動可能に構成され、ハンマ２はスイッチ部３を駆動可能に構成されている。
【００１２】
鍵１の前部には下方に垂下した垂下部１ａが設けられ、垂下部１ａの下端部には緩衝材１３が取り付けられている。緩衝材１３は、ハンマ２と係合し、鍵１の押鍵動作をハンマ２に伝達すると共に、ハンマ２の復帰動作を鍵１に伝達する。ハンマ２は、スイッチ部３を駆動するためのスイッチ駆動部２ａを有する。押鍵動作により鍵１の回動に伴いハンマ２が回動し、スイッチ部３が駆動されることで、スイッチ部３により押鍵動作が検出される。
【００１３】
シャーシ４の前部には、鍵１の並び方向の回動を規制するためのキーガイド６が各鍵１毎に突設されている。また、ハンマ回動軸Ｐ２近傍から鍵１の後部に亘って復帰用バネ７が懸架され、鍵１及びハンマ２がシャーシ４から容易に脱落しないようになっている。
【００１４】
シャーシ４にはまた、鍵１の後方であって鍵回動軸Ｐ１の近傍に、基板取付部１６が配設されている。基板取付部１６には、電子回路基板１５がネジ１７で固定されている。電子回路基板１５上には、コネクタ１４が配設される。基板取付部１６が鍵回動軸Ｐ１の近傍に位置するので、鍵１の回動動作時に束線９に与えられる負荷が減少して耐久性が向上すると共に、束線９の動作が小さくて済み、メカノイズの発生が抑制される。
【００１５】
鍵１にはまた、電気部品として発光ユニット２０が設けられる。発光ユニット２０は、鍵１の内部に設けられた基板２１上にＬＥＤ２３及びコネクタ２５が配設されて成る。ＬＥＤ２３は光拡散防止用の枠体２４に囲繞され、発光することで、主に上方及び斜め前方に向かって鍵１の裏面１ｄを照射する。鍵１は光をやや透過し、鍵１への照射が奏者から視認されるようになっており、発光ユニット２０は演奏ガイド等に利用される。基板２１の前部には、枠体２４から下方に突設された突設片２２が突出している。基板２１は鍵１の垂下部１ａの上部１ａａに接着固定され、その際、突設片２２が垂下部１ａに前方から当接することで、発光ユニット２０の前後方向における位置決めがなされるようになっている。
【００１６】
鍵１には、貫通穴１ｂが鍵１の上面１ｃから裏面１ｄを貫通して設けられている。貫通穴１ｂは、パネル面５より後方に設けられ、演奏操作時に視認される「見え懸かり部」ではない部分に設けられることで、外観の悪化が防止されている。
【００１７】
鍵１には、束線９及び束線固定部１２が取り付けられている。束線固定部１２は、鍵１の後部上部１ｃａに固定される。束線９は、その一端部９ａが発光ユニット２０のコネクタ２５に接続され、他端部９ｂが電子回路基板１５上のコネクタ１４に接続されている。束線９が、コネクタ２５から鍵１の下方を通って貫通穴１ｂを貫通し、鍵１の上方に導出され、途中で束線固定部１２により固定されてコネクタ１４に導かれることにより、発光ユニット２０と電子回路基板１５とが電気的に接続状態にされている。束線９の貫通穴１ｂから束線固定部１２までの導出部分の裏面９ｃは、鍵１の後部上部１ｃａに接着固定される。なお、束線９のコネクタ２５から貫通穴１ｂまでの非導出部分も、鍵１ｃの裏面１ｄに接着固定するようにしてもよい。
【００１８】
束線固定部１２は、束線９を定まった位置で固定することで、束線９の他端部９ｂの延出方向を整然と規定し、配線乱れによる隣接機構への干渉や、鍵１の振動による雑音発生の防止に寄与している。束線固定部１２の上方には、押さえ部１１がシャーシ４に対して固定的に設けられる。押さえ部１１は、押離鍵動作時において、鍵１の後部が上方へ移動した場合には、束線固定部１２と当接することで、鍵１の後部が抜けることを防止する。従って、束線固定部１２は、配線乱れや雑音発生の防止の他、鍵１の抜け防止機能を兼ね備える。また、束線固定部１２は、鍵回動軸Ｐ１の近傍に設けられるので、鍵１の回動動作時に束線９に与えられる負荷を減少させて耐久性を向上させると共に、動作を小さくしてメカノイズの発生を抑制している。しかも、束線固定部１２はパネル面５に隠れるので、外観が悪化することもない。
【００１９】
鍵１をシャーシ４に取り付ける際には、まず、鍵１に、発光ユニット２０、束線固定部１２及び束線９を装着して「鍵構造体Ｋ」を製作する。この状態では、鍵１は、発光ユニット２０、束線固定部１２及び束線９と共に一体として扱うことができ、しかも、束線９は、その他端部９ｂが束線固定部１２から鍵１の後方に少し延出しているだけである。従って、束線９のいずれかの端部が鍵１の下方に垂れ下がっている場合に比し、束線９が煩わしいことがなく、鍵構造体Ｋを取り扱い易い。次に、復帰用バネ７に係合させつつ鍵１の後部をシャーシ４の鍵回動軸Ｐ１に対応する位置にセットする。その際、束線９が、復帰用バネ７等の鍵１の下方に配設される構成部品と干渉することがほとんどないので、鍵構造体Ｋの取り扱いやシャーシ４への装着作業が容易となっている。次に、束線９の他端部９ｂを電子回路基板１５上のコネクタ１４に接続する。電子回路基板１５は、束線固定部１２に比較的近接しているので、束線９の束線固定部１２からコネクタ１４までの長さが抑えられている。
【００２０】
本実施の形態によれば、貫通穴１ｂを、鍵１の上面１ｃの見え懸かり部でない部分に設け、束線９を鍵１の貫通穴１ｂを貫通させ上方に導出させたので、外観を損ねることなく、鍵１の下方の構成部品との干渉を少なくして電気部品である発光ユニット２０への配線を容易にすると共に、鍵１と束線９とを一体に扱いやすくしてシャーシ４への取り付けや交換作業を容易にすることができる。
【００２１】
特に、本実施の形態では、鍵１の下方にハンマ２が備えられているので、鍵１の下方においては電気部品の配設スペースが少ない。しかし、本実施の形態では、発光ユニット２０を鍵１の内部に配設したので、ハンマ２があっても邪魔になることなく発光ユニット２０を配設でき、しかも演奏時に指の直下に発光ユニット２０がくるのでその発光が視認されやすい。
【００２２】
なお、本実施の形態では、電気部品として発光ユニット２０を例示したが、これに限るものでなく、例えば、図２に示すように、鍵１の下方に固定されたプリタッチセンサ３０等のセンサ部品であってもよい。プリタッチセンサ３０は、不図示のピエゾ素子を含んで構成され、スイッチ部３で押鍵動作が検出される前の段階で、鍵１に加わる指の微妙な力による変形を検出する。その検出結果は、楽音制御に反映される。なお、プリタッチセンサ３０は、鍵１の長手方向にもっと長いものであってもよい。
【００２３】
なお、電気部品を、リボンセンサ等のように、接触を検出するセンサとして構成し、鍵１の押鍵面である上面１ｃに設ける場合は、鍵１の前部であってその電気部品の直ぐ後方において貫通穴を別途設け、この貫通穴から束線９を鍵１の下方に一旦導き、その後、図１の例と同様に、束線９を貫通穴１ｂから導出するように構成すればよい。
【００２４】
（第２の実施の形態）
図３は、本発明の第２の実施の形態に係る鍵構造体の断面図（同図（ａ））及び同図（ａ）のＡ−Ａ線に沿う断面図（同図（ｂ））である。本実施の形態では、鍵構造体の構成が第１の実施の形態と異なり、鍵盤装置におけるその他の構成は第１の実施の形態と同様である。
【００２５】
鍵構造体Ｋ２は、鍵４１に束線４２をアウトサート成形により組み込み、さらに電気部品４０を装着して構成される。束線４２は導電バーで構成され、その前部に突起部４２ａ、後部に突起部４２ｂを有し、後端部は上方に延出し、端子となる延出部４２ｃが形成されている。電気部品４０は、例えば、発光ユニット２０と同様の機能を有するが、それに限定されるものではない。
【００２６】
束線４２は左右略対称に設けられ、前方から見て左側の束線４２は、同図（ｂ）に示すように、鍵４１の後端部を除き、鍵４１の内側を通っている。そして、束線４２は、同図（ａ）に示すように、パネル面５より後方の、鍵４１の貫通部４１ｂを貫通して後部傾斜面４１ｄから上方に導出されている。束線４２の突起部４２ａが電気部品４０のコネクタ４３に接続され、束線４２の延出部４２ｃが短束線４４を介して電子回路基板１５上のコネクタ１４に接続されることで、電気部品４０と電子回路基板１５とが電気的に接続状態にされる。
【００２７】
電気部品４０のコネクタ４３には、束線４２の突起部４２ａに嵌合的な不図示の溝部が設けられており、電気部品４０を鍵４１の垂下部４１ａの上部４１ａａ上を後方にスライドさせつつ、コネクタ４３の上記溝部に束線４２の突起部４２ａを嵌合させることで、電気部品４０の鍵４１への装着及び束線４２との接続が簡単に完了する。
【００２８】
鍵構造体Ｋ２は上下金型により成形されるが、その際、束線４２の延出部４２ｃが上側金型に嵌合係止されると共に、束線４２の突起部４２ａ及び突起部４２ｂが下側金型に嵌合係止されることで、鍵構造体Ｋ２のアウトサート成形が容易になっている。なお、鍵４１の垂下部４１ａを別体で成形すれば、アンダーカットをなくすことができるだけでなく、ハンマ２を設ける鍵盤装置と設けない鍵盤装置とのいずれにも、垂下部４１ａを除く鍵構造体Ｋ２部分を共用することができる。
【００２９】
本実施の形態によれば、第１の実施の形態と同様の効果を奏することができる。
【００３０】
【発明の効果】
以上説明したように、本発明によれば、外観を損ねることなく、他の構成部品との干渉を少なくして電気部品への配線を容易にすることができる。
【図面の簡単な説明】
【図１】本発明の第１の実施の形態に係る鍵構造体を備えた鍵盤装置の断面図である。
【図２】他の電気部品を設けた場合の一例を示す鍵盤装置の部分断面図である。
【図３】本発明の第２の実施の形態に係る鍵構造体の断面図（同図（ａ））及び同図（ａ）のＡ−Ａ線に沿う断面図（同図（ｂ））である。
【符号の説明】
１　鍵（鍵体）、　１ａ　垂下部、　１ｂ　貫通穴、　１ｃ　上面（上部）、１ｃａ　後部上部、　５　パネル面、　９　束線、　１２　束線固定部、　１４　コネクタ、　１５　電子回路基板（基板）、　１６　基板取付部、　２０　発光ユニット（電気部品）、　２５　コネクタ、　Ｋ　鍵構造体、　Ｐ１　鍵回動軸（鍵支点部）
【図１】
2004094160.tif 000003
【図２】
2004094160.tif 000004
【図３】
2004094160.tif 000005